(57)【要約】【課題】設置コストが低く、効果的な洗髪性能を有する洗髪機を提供する。【解決手段】洗髪機１００は、給水機能を有する本体１と、人６の頭部６ａに接触させて洗髪を行なうノズル２と、本体１とノズル２とを接続して給水機能による頭部６ａの洗髪のための液体の流れを中継すると共に、ノズル２を頭部６ａの任意の位置に接触させるように変形するダクト３と、を備え、ノズル２は、液体を噴出する水噴出口２１と、頭部６ａをマッサージするマッサージ部２２と、を有する。【選択図】図１
2020156859.tif 000002
【特許請求の範囲】
【請求項１】
給水機能を有する本体と、
人の頭部に接触させて洗髪を行なうノズルと、
前記本体と前記ノズルとを接続して前記給水機能による前記頭部の洗髪のための液体の流れを中継すると共に、前記ノズルを前記頭部の任意の位置に接触させるように変形するダクトと、を備え、
前記ノズルは、前記液体を噴出する液体噴出口と、前記頭部をマッサージするマッサージ部と、
を有する、洗髪機。
【請求項２】
前記ノズルの作動状態を制御する制御部と、
前記ノズルに設けられ、前記頭部を検知するセンサと、を備え、
前記制御部は、前記センサによる検知結果に基づいて、前記液体噴出口から噴出される前記液体の流量を制御すると共に前記マッサージ部の動作を制御する、
請求項１に記載の洗髪機。
【請求項３】
前記ダクトの動作を制御する制御部と、
前記ノズルに設けられ、前記頭部を検知するセンサと、を備え、
前記ダクトは、多関節を有するアームであり、
前記制御部は、前記センサによる検知結果に基づいて、前記多関節の動作を制御する、
請求項１又は２に記載の洗髪機。
【請求項４】
前記本体は、薬液を貯留する薬液供給装置を有し、
前記ノズルは、前記薬液供給装置から前記ダクトを経由して供給された前記薬液を前記頭部に対して噴出する薬液噴出口を有する、
請求項１〜３のいずれか１項に記載の洗髪機。
【請求項５】
送風によって前記頭部を乾燥させる送風ノズルと、
前記本体と前記送風ノズルとを接続すると共に、前記送風ノズルを前記頭部の任意の位置に接近させるように変形する送風ダクトと、
を更に備える、請求項１〜４のいずれか１項に記載の洗髪機。
【請求項６】
前記本体は、外側ケーシングと内側ケーシングとによる二重構造のケーシングを有し、
前記内側ケーシングは、前記ダクト及び前記送風ダクトにそれぞれ接続され、前記外側ケーシングの内側において回転される、
請求項５に記載の洗髪機。
【発明の詳細な説明】
【技術分野】
【０００１】
本発明は、洗髪機に関する。
【背景技術】
【０００２】
美容室や理容室等の従業員は１日に多数の客の洗髪をしなければならず、洗髪の際に使用されるシャンプーやリンス等の薬液によって手が荒れてしまうおそれがある。そこで、洗髪による負担を軽減するために、洗髪機を利用した洗髪を実施することが想定される。
例えば、頭髪用ブラシ部を備えた洗髪機（特許文献１を参照）や受水ボール（別言すれば、シャンプーボウル）を備えた洗髪機（特許文献２を参照）が知られている。
【先行技術文献】
【特許文献】
【０００３】
【特許文献１】実全昭４９−００９４５３号公報
【特許文献２】実開平５−０７０４０５号公報
【発明の概要】
【発明が解決しようとする課題】
【０００４】
しかしながら、上記の特許文献１に記載された技術では頭髪用ブラシ部の可動域が小さく、頭髪を十分に洗浄できないおそれがある。また、上記の特許文献２に記載された技術では、美容室や理容室等に設置されている一般的なシャンプーボウルを交換しなければならず、設置コストが増大するおそれがある。
【０００５】
１つの側面では、本明細書に記載する技術は、設置コストが低く、効果的な洗髪性能を有する洗髪機を提供することを目的とする。
【課題を解決するための手段】
【０００６】
１つの側面において、洗髪機は、給水機能を有する本体と、人の頭部に接触させて洗髪を行なうノズルと、前記本体と前記ノズルとを接続して前記給水機能による前記頭部の洗髪のための液体の流れを中継すると共に、前記ノズルを前記頭部の任意の位置に接触させるように変形するダクトと、を備え、前記ノズルは、前記液体を噴出する液体噴出口と、前記頭部をマッサージするマッサージ部と、を有する。
【発明の効果】
【０００７】
開示の洗髪機によれば、設置コストが低く、効果的な洗髪性能を有する洗髪機を提供することができる。
【図面の簡単な説明】
【０００８】
【図１】実施例における洗髪機の使用例を模式的に示す図である。
【図２】図１に示した洗髪機におけるノズルの構成例を模式的に示す図である。
【図３】図１に示した洗髪機の機能構成例を模式的に示す図である。
【図４】第１変形例における洗髪機の構成例を模式的に示す図である。
【図５】第２変形例における洗髪機におけるノズルの構成例を模式的に示す図である。
【図６】図５に示した洗髪機の機能構成例を模式的に示す図である。
【図７】第３変形例における洗髪機の機能構成例を模式的に示す図である。
【図８】第４変形例における洗髪機の構成例を模式的に示す図である。
【図９】図８に示した洗髪機の平面図である。
【発明を実施するための形態】
【０００９】
以下、図面を参照して一実施の形態を説明する。ただし、以下に示す実施形態はあくまでも例示に過ぎず、実施形態で明示しない種々の変形例や技術の適用を排除する意図はない。本実施形態は、その趣旨を逸脱しない範囲で種々変形して実施することができる。また、各図は、図中に示す構成要素のみを備えるという趣旨ではなく、他の機能等を含むことができる。以下、図中において、同一の符号を付した部分は同様の部分を示している。
【００１０】
〔Ａ〕実施形態の一例
〔Ａ−１〕システム構成例
図１は、実施例における洗髪機１００の使用例を模式的に示す図である。図１に示すように、洗髪機１００は、本体１，ノズル２，ダクト３，給水パイプ４及び電源ケーブル５を備える。
【００１１】
本体１は、給水機能を有し、ノズル２による水等の洗髪のために使用される種々の液体の噴出やマッサージの制御を実施する。なお、本体１の詳細については、図３等を用いて後述する。
【００１２】
ノズル２は、人６（洗髪される対象者）の頭髪を含む頭部６ａに直接的に接触して、液体の噴出やマッサージによって洗髪を行なうものである。ノズル２の外形状は、図示しない洗髪を行なう者（以下「作業者」という）が持ちやすい形状、例えば四角錐台形状や円錐台形状となっている。錐台形状のノズル２の底面に相当する面は、頭部６ａに接触する接触面２Ｆであり、この接触面２Ｆと反対側の面にはダクト３が接続される。洗髪機１００を用いた洗髪は、ノズル２から噴出される液体を受け止めるためのシャンプーボウル７（別言すれば、洗面台）の上で実施されてよい。なお、ノズル２の詳細については、図２等を用いて後述する。
【００１３】
ダクト３は、可撓性を有する管であり、その一端部がノズル２に接続され、その他端部が本体１に接続される。なお、ダクト３とノズル２との接続箇所にボールジョイントを介装し、ノズル２がダクト３の一端部に対して回動する構成としてもよい。ダクト３の内部には、液体の流通路と電力線と信号線とが設けられる。また、本実施形態のダクト３は、作業者の操作によってその形状が自在に変形する。ダクト３が変形することにより、ノズル２を頭部６ａの任意の位置に接触させることができ、洗髪を効率的に実施できる。
【００１４】
給水パイプ４は、本体１へ温水，常温水又は冷水を供給するための管であり、その一端部が本体１に接続され、その他端部が水道の蛇口（不図示）に接続される。
【００１５】
電源ケーブル５は、本体１へ電力を供給するケーブルであり、その一端部が本体１に接続され、その他端部が電源（不図示）に接続される。
【００１６】
図２は、図１に示した洗髪機１００におけるノズル２の構成例を模式的に示す図である。図２に示すように、ノズル２は、接触面２Ｆに設けられた液体噴出口２１及びマッサージ部２２を備える。なお、本実施形態のノズル２は正四角錐台形状をなし、接触面２Ｆは正面視で正方形状の平面として設けられているが、ノズル２の形状はこれに限られず、例えば接触面２Ｆが頭部６ａに接しやすいよう凹状や凸状に湾曲していてもよい。
【００１７】
液体噴出口２１は、液体を噴出する開口であり、例えば接触面２Ｆの中央部に形成される。液体噴出口２１は、従来周知のシャワーヘッドのように、多数の細孔から構成されることが好ましい。液体噴出口２１からの液体の噴出は、ノズル２や本体１に備えられた液体流量調整ボタン（不図示）が押下されることにより実施されてよい。なお、液体噴出口２１の配置箇所や個数は、種々変更することができる。
【００１８】
マッサージ部２２は、接触面２Ｆに突設された複数の突起部２２１と、駆動用のクランクシャフト（不図示）とを備え、突起部２２１によって人６の頭皮をマッサージする機能を持つ。本実施形態のノズル２には、接触面２Ｆの中央部に形成された液体噴出口２１の周囲を囲むように、接触面２Ｆの２本の対角線上に２つずつ（計４つの）マッサージ部２２が配置される。なお、図２において、突起部２２１の符号は、１つのマッサージ部２２に限って図示されている。本実施形態のマッサージ部２２は、ノズル２や本体１に備えられたマッサージボタン（不図示）が押下されると、ノズル２に内蔵されたクランクシャフトが作動し、符号Ａ１で示す両矢印の方向に往復運動する。なお、マッサージ部２２及び突起部２２１の配置箇所や個数は、種々変更することができる。
【００１９】
マッサージ部２２の作動リズムは一定であってもよいし、頭部６ａの洗浄中とすすぎ中とで異なっていてもよい。例えば、洗浄中ではマッサージ部２２が小刻みに振動し、すすぎ中ではマッサージ部２２がゆっくりと振動するように、クランクシャフトの動きを制御してもよい。
【００２０】
また、ノズル２がダクト３に対して取り付け及び取り外しが可能であってもよい。この場合、マッサージ部２２の構成が異なるノズル２を複数用意しておき、作業者が人６に合わせて適切なノズル２を選択して、ノズル２を付け替えてもよい。なお、１つのノズル２に設けられる複数のマッサージ部２２の構成は全て同一でなくてもよい。また、１つのマッサージ部２２に設けられる複数の突起部２２１が、異なる形状や異なる大きさ，長さに設定されていてもよい。
【００２１】
図３は、図１に示した洗髪機１００の機能構成例を模式的に示す図である。図３に示すように、本体１に接続された給水パイプ４は、本体１の内部に設けられた内部給水パイプ１４の一端部に接続される。内部給水パイプ１４の他端部は、ノズル２内において液体噴出口２１に接続される。すなわち、内部給水パイプ１４は、本体１の内部及びダクト３の内部に亘って設けられる。
【００２２】
本体１内に位置する内部給水パイプ１４上には、内部給水パイプ１４を流通する水の流量を制御するバルブ１３が介装される。バルブ１３が開弁すると内部給水パイプ１４内を水が流通し、その開度によって流量が変化する。また、バルブ１３が閉弁すると水の流通が止まる。なお、内部給水パイプ１４上であってバルブ１３の下流側（ノズル２側）に、水を加温する熱源（例えばヒータや給湯器）を配置してもよい。これにより、給水パイプ４から本体１へ常温水又は冷水が流入する場合であっても、ノズル２の液体噴出口２１から温水を噴出することができる。
【００２３】
本体１に接続された電源ケーブル５は、本体１の内部に備えられる電源部１２に接続される。電源部１２は、制御部１１，バルブ１３及びノズル２に対して電力を供給する給電装置である。
【００２４】
制御部１１は、バルブ１３及びノズル２の作動状態を制御するものであり、信号線１５によってバルブ１３及びノズル２のそれぞれに接続される。制御部１１とノズル２との間の信号線１５は、ダクト３の内部を経由する。制御部１１は、水流調整ボタンの押下を検知し、このボタン操作に応じてバルブ１３の開閉状態を制御する。これにより、内部給水パイプ１４を流通する水の流量が制御される。また、制御部１１は、マッサージボタンの押下を検知し、このボタン操作に応じてノズル２におけるマッサージ部２２の動作を制御する。
【００２５】
制御部１１は、例えばCentral Processing Unit（ＣＰＵ）やMicro Processing Unit（ＭＰＵ），Digital Signal Processor（ＤＳＰ），Application Specific Integrated Circuit（ＡＳＩＣ），Programmable Logic Device（ＰＬＤ），Field Programmable Gate Array（ＦＰＧＡ）のいずれか一つであってもよい。また、制御部１１は、ＣＰＵ，ＭＰＵ，ＤＳＰ，ＡＳＩＣ，ＰＬＤ，ＦＰＧＡのうちの２種類以上の要素の組み合わせであってもよい。
【００２６】
〔Ａ−２〕効果
上述した実施形態の一例における洗髪機１００によれば、例えば、以下の作用効果を奏することができる。
【００２７】
洗髪機１００は、本体１とノズル２とダクト３とを備える。本体１は、給水機能を有する。ノズル２は、人６の頭部６ａに接触させて洗髪を行なう。ダクト３は、本体１とノズル２とを接続して給水機能による液体の流れを中継すると共に、ノズル２が頭部６ａの任意の位置に接触できるように変形する。
【００２８】
これにより、設置コストが低く、効果的な洗髪性能を有する洗髪機１００を提供することができる。具体的には、ダクト３が自在に変形するため、人６の頭部６ａを動かさなくても頭部６ａの隅々まで洗浄することができる。また、特別な工事をすることなく、本体１に接続されている給水パイプ４を水道の蛇口に接続し、電源ケーブル５を電源に接続するだけで洗髪機１００を利用できる。
【００２９】
また、洗髪を行なう作業者は、シャンプーやリンス（別言すれば、コンディショナー）等の薬液を頭部６ａに塗り込む時だけ頭部６ａに触れればよく、その後の洗髪はノズル２によって実行できる。つまり、頭部６ａに触れる時間を大幅に短縮できるため、洗髪を行なう作業者の手荒れを抑制できる。また、洗髪を行なう作業者の爪の長さが長くても、洗髪される人６の頭皮を傷付けるおそれが少ないため、安全面でも優れている。
【００３０】
上述したノズル２は、頭部６ａに対して液体を噴出する液体噴出口２１と、人６の頭皮をマッサージするマッサージ部２２と、を備える。これにより、シャンプーやリンス等の薬液の洗い流しをノズル２によって実行できると共に、洗髪をしながら人６の頭皮をマッサージできるため、効果的な頭皮ケアを実現できる。
【００３１】
〔Ｂ〕第１変形例
図４は、第１変形例における洗髪機１００ａの構成例を模式的に示す図である。本変形例の洗髪機１００ａは、上述した洗髪機１００に対し、ノズル２ａの構成及びアーム式ダクト３ａの構成が異なる点を除いて、同様に構成されている。
【００３２】
図４に示す洗髪機１００ａは、図１〜図３に示したノズル２の代わりに、ノズル２ａを備える。また、本変形例の洗髪機１００ａは、図１等に示したダクト３の代わりに、ノズル２ａと本体１とを接続するアーム式ダクト３ａを備える。図４に示す洗髪機１００ａには、３つのノズル２ａと３つのアーム式ダクト３ａとが設けられる。ノズル２ａ及びアーム式ダクト３ａは、上述したノズル２及びダクト３の機能に加えて、さらに以下の構成（機能）を有する。なお、各ノズル２ａは同様に構成されており、各アーム式ダクト３ａも同様に構成されている。
【００３３】
アーム式ダクト３ａは、多関節（図示する例では３関節）を有し、変形自在に設けられる。アーム式ダクト３ａは、人６の洗髪を実施する作業者によって手動で動かされてもよいし、図４に示した制御部１１によって自動的に作動するもの（制御部１１によりその動作が制御されるもの）でもよい。なお、ここでいう自動には、センサ値に基づいて制御部１１が判断して実施する完全自動と、人６がリモコン操作により制御部１１に指令を出す半自動とが含まれる。
【００３４】
ここで、アーム式ダクト３ａが自動的に作動するものである場合の構成について詳述する。アーム式ダクト３ａには、各関節の角度を変更するためのリンク機構及びシリンダー機構（不図示）が付設される。また、例えば本体１には、シリンダー機構を駆動する駆動源（モータやアクチュエータ）が内蔵される。制御部１１は、センサ値やリモコン指令値等に基づき駆動源の作動状態を制御することでシリンダー機構を駆動し、アーム式ダクト３ａを変形させることでノズル２ａの位置を動かす。なお、アーム式ダクト３ａは、図３に示したダクト３と同様に、その内部に内部給水パイプ１４及び信号線１５が設けられる。
【００３５】
アーム式ダクト３ａが完全自動で作動するものである場合には、例えばノズル２ａの接触面２Ｆに、頭部６ａを検知するセンサ２３が設けてもよい。センサ２３としては、例えば、頭部６ａとの接触を検知可能な感圧センサや、頭部６ａの位置や頭部６ａまでの距離を検知可能な赤外線センサや、頭部６ａの画像情報を取得可能なカメラが挙げられる。また、頭部６ａの検知には、Artificial Intelligence（ＡＩ）による機械学習が利用されてもよい。制御部１１は、センサ２３による検知結果に基づいて、ノズル２ａの液体噴出口２１から噴出される液体の流量を制御すると共にマッサージ部２２の動作を制御する。
【００３６】
アーム式ダクト３ａが半自動で作動するものである場合には、例えば人６のリモコン操作により、アーム式ダクト３ａが制御されてもよい。
【００３７】
また、アーム式ダクト３ａが自動（完全自動及び半自動）で作動するものであってノズル２ａにセンサ２３が設けられない場合には、ノズル２ａ及びアーム式ダクト３ａが予めプログラミングされた動きをすることによって頭部６ａの洗浄を行なってもよい。
【００３８】
なお、アーム式ダクト３ａが手動で操作されるものである場合にも、上記のセンサ２３を設けてもよい。この場合には、センサ２３の検知結果に基づき、例えば頭部６ａに対するノズル２ａの接触圧が強い，弱いといった内容を報知してもよい。
【００３９】
このように、第１変形例のノズル２ａは、頭部６ａを検知するセンサ２３を更に備え、センサ２３による検知結果に基づいて、液体噴出口２１から噴出される液体の流量とマッサージ部２２の動作とが制御される。また、第１変形例のアーム式ダクト３ａは多関節を有するアームであり、センサ２３による検知結果に基づいて、多関節の動作が制御される。
【００４０】
したがって、第１変形例における洗髪機１００ａによれば、上述した実施形態の一例における洗髪機１００によって奏することができる効果の他に、例えば以下の効果を奏することができる。すなわち、人６の洗髪を行なう作業者の負担を大幅に低減でき、作業者が存在しない場合でも洗髪を自動的に実施できる。このため、例えば、美容室や理容室において人手が不足する場合に作業者の洗髪作業を代行できたり、病院や老人ホーム等に入居している利用者の洗髪を従業員が全て行う必要がなくなるため、従業員の作業負荷の低減を図ったりすることができる。
【００４１】
なお、図４に示す洗髪機１００ａでは、制御部１１が、センサ２３による検知結果に基づいて液体の流量とマッサージ部２２の動作とを制御すると共に、アーム式ダクト３ａの多関節の動作を制御しているが、ノズル２ａ及びアーム式ダクト３ａのいずれか一方のみを制御する構成でもよい。例えば、アーム式ダクト３ａが手動で動かされるものであり、ノズル２ａのみが制御部１１により制御される構成であってもよいし、アーム式ダクト３ａが制御部１１により自動的に動かされるものであり、ノズル２ａが人６のリモコン操作（手動操作）により制御されるものであってもよい。
【００４２】
また、第１変形例では、３つのアーム式ダクト３ａが本体１と３つのノズル２ａのそれぞれとに接続されているが、洗髪機１００ａの構成はこれに限らず、例えば、アーム式ダクト３ａの本体１側の端部が１つであり、アーム式ダクト３ａが途中で分岐した形状であってもよい。また、複数のノズル２ａの構成が全て同一でなくてもよく、例えば、マッサージ部２２の構成が互いに異なる複数のノズル２ａが備え付けられてもよい。
【００４３】
〔Ｃ〕第２変形例
図５は、第２変形例における洗髪機１００ｂにおけるノズル２ｂの構成例を模式的に示す図である。本変形例の洗髪機１００ｂは、上述した洗髪機１００に対し、ノズル２ｂに設けられる液体噴出口２１の構成が異なる点と、ノズル２ｂから薬液を噴出する構成が追加されている点とを除いて、同様に構成されている。
【００４４】
第２変形例の洗髪機１００ｂ（図６を用いて後述）は、図２に示したノズル２の代わりに、ノズル２ｂを備える。図５に示すように、本変形例のノズル２ｂは、上述した液体噴出口２１及びマッサージ部２２に加えて、接触面２Ｆに設けられた薬液噴出口２４を備える。本変形例のノズル２ｂには、４つの液体噴出口２１と４つのマッサージ部２２と１つの薬液噴出口２４とが設けられる。
【００４５】
マッサージ部２２の配置は、上述したノズル２での配置と同一である。一方、本変形例の液体噴出口２１は、異なる対角線上に位置する２つのマッサージ部２２の間（すなわち４箇所）にそれぞれ配置される。液体噴出口２１は、例えば、ノズル２ｂから噴出する液体の方向が接触面２Ｆの中央部に向かうように、その角度が設定されることによって、シャンプーボウル７（図１を用いて前述）の外に液体が飛び散ることを抑制できる。
【００４６】
薬液噴出口２４は、人６の頭部６ａに向けてシャンプーやリンス等の薬液を噴出する開口であり、例えば、ノズル２ｂの接触面２Ｆの中央部に形成される。薬液噴出口２４からの薬液の噴出は、ノズル２ｂや本体１ｂ（図６を用いて後述）に備えられた薬液ボタン（不図示）が押下されることにより実施されてよい。
【００４７】
なお、液体噴出口２１，マッサージ部２２及び薬液噴出口２４の配置箇所や個数は、種々変更することができる。また、液体噴出口２１と薬液噴出口２４とは共用されてもよい。例えば、図２に示したように、ノズル２に形成された１つの液体噴出口２１から、液体及び薬液が両方とも噴出されてもよい。
【００４８】
図６は、第２変形例における洗髪機１００ｂの機能構成例を模式的に示す図である。図６に示すように、洗髪機１００ｂの本体１ｂは、図３に示した洗髪機１００の本体１が備える機能構成に加えて、薬液供給装置１６，ポンプ１７及び薬液パイプ１８を備える。
【００４９】
薬液供給装置１６は、シャンプーやリンス等複数の薬液を貯留するものであり、薬液の種類ごとに設けられる。薬液は、本体１ｂの外部から薬液供給装置１６の中に補充可能である。なお、薬液の種類ごとに供給装置を設けた構成は、第３変形例で詳述する。薬液パイプ１８は、その一端部が薬液供給装置１６に接続され、その他端部がノズル２ｂ内において薬液噴出口２４に接続される。すなわち、薬液パイプ１８は、本体１ｂの内部及びダクト３の内部に亘って設けられる。ポンプ１７は、薬液パイプ１８上に介装された圧送手段であり、薬液供給装置１６内の薬液を吸い上げると共に、薬液パイプ１８内を流通する薬液の流量を制御する。薬液供給装置１６は、剛性を有するタンク形状であってもよいし、ビニル等のバック形状であってもよい。
【００５０】
制御部１１は、図３を用いて説明した機能に加えて、信号線１５によってポンプ１７に接続され、ポンプ１７の作動状態を制御する。制御部１１は、薬液ボタンの押下を検知し、このボタン操作に応じてポンプ１７の作動状態を制御することで、薬液供給装置１６から薬液パイプ１８（ダクト３）を経由して薬液噴出口２４に供給される薬液の流量を制御する。
【００５１】
なお、薬液パイプ１８は、内部給水パイプ１４に接続されてもよい。この場合、薬液パイプ１８上であって内部給水パイプ１４との接続箇所にバルブ（開閉弁や三方弁）を設けて、ノズル２ａから薬液を噴出する際には内部給水パイプ１４との接続を遮断し、洗髪終了後には内部給水パイプ１４との接続を許可する。これにより、洗髪機１００ｂの使用後に、薬液パイプ１８内に滞留している薬液を、内部給水パイプ１４から供給される液体によって洗い流すことができる。
【００５２】
このように、本変形例の洗髪機１００ｂでは、本体１ｂが薬液を貯留する薬液供給装置１６を備え、ノズル２ｂが薬液供給装置１６からダクト３を経由して供給された薬液を頭部６ａに対して噴出する薬液噴出口２４を備える。
【００５３】
したがって、第２変形例における洗髪機１００ｂによれば、上述した実施形態の一例における洗髪機１００によって奏することができる効果の他に、例えば以下の効果を奏することができる。すなわち、洗髪を行なう作業者が、シャンプーやリンス等の薬液を人６の頭部６ａに塗り込む際にも頭部６ａに触れる必要がなくなるため、作業者の手荒れをより抑制できる。
【００５４】
〔Ｄ〕第３変形例
図７は、第３変形例における洗髪機１００ｃの機能構成例を模式的に示す図である。本変形例の洗髪機１００ｃは、上述した第２変形例の洗髪機１００ｂに対し、薬液供給装置１６が薬液ごとに設けられ、薬液を択一的に噴出可能な構成を備えた点を除いて、同様に構成されている。
【００５５】
図７に示すように、洗髪機１００ｃの本体１ｃは、図６に示した薬液供給装置１６及びポンプ１７に代えて、第１薬液供給装置１６１，第２薬液供給装置１６２及びポンプ１７ｃを備える。第１薬液供給装置１６１は、例えばシャンプーを貯留するものであり、第２薬液供給装置１６２は例えばリンスを貯留するものである。シャンプー及びリンスは、本体１ｃの外部から各供給装置１６１，１６２の中に補充可能である。各供給装置１６１，１６２には、薬液を取り出すためのパイプ１８１，１８２が接続される。各パイプ１８１，１８２の他端部は、ポンプ１７ｃに接続される。なお、本変形例の薬液パイプ１８は、その一端部がポンプ１７ｃに接続される。ポンプ１７ｃは、第１薬液供給装置１６１又は第２薬液供給装置１６２内の薬液を選択的に吸い上げると共に、薬液パイプ１８内を流通する薬液の流量を制御する。なお、供給装置１６１，１６２は、剛性を有するタンク形状であってもよいし、ビニル等のバック形状であってもよい。
【００５６】
制御部１１は、信号線１５によってポンプ１７ｃに接続され、ポンプ１７ｃの作動状態を制御する。本変形例のノズル２ｂや本体１ｃには、薬液の種類を選択可能な薬液ボタン（不図示）が設けられる。制御部１１は、この薬液ボタンの押下を検知し、このボタン操作に応じた薬液（例えば、シャンプー又はリンス）を貯留する供給装置１６１，１６２から薬液を吸い上げるように、ポンプ１７ｃを制御し、薬液噴出口２４から薬液（例えば、シャンプー又はリンス）を流す。
【００５７】
したがって、第３変形例における洗髪機１００ｃによれば、上述した実施形態の一例における洗髪機１００及び第２変形例の洗髪機１００ｂによって奏することができる効果の他に、例えば以下の効果を奏することができる。すなわち、薬液が第１薬液供給装置１６１と第２薬液供給装置１６２とに分けて貯留されるため、頭部６ａへのシャンプー及びリンスの両方の塗り込みをノズル２ｂによって実施できる。また、頭部６ａや頭皮へのケアが不十分になるおそれがあるリンスインシャンプーを使用しなくてよい。なお、本変形例では２つの供給装置１６１，１６２が設けられた洗髪機１００ｃを例示したが、供給装置の個数は薬液の種類の数に設定すればよく、供給装置の個数に応じてポンプやパイプの構成を変更すればよい。
【００５８】
〔Ｅ〕第４変形例
図８は、第４変形例における洗髪機１００ｄの構成例を模式的に示す図である。本変形例の洗髪機１００ｄは、上述した洗髪機１００に対し、送風ノズル８及び送風ダクト９が追加された点と、本体１ｄが外側ケーシング１０１及び内側ケーシング１０２（共に図９を用いて後述）による二重構造のケーシングによって構成される点とを除いて、同様に構成されている。
【００５９】
図８に示すように、洗髪機１００ｄは、図１に示した構成に加えて、送風ノズル８及び送風ダクト９を備える。送風ノズル８及び送風ダクト９は、上述したノズル２及びダクト３の作動とは独立して作動する。
【００６０】
送風ノズル８は、送風ダクト９によって本体１ｄに接続される。送風ノズル８は、ドライヤーとしての機能を有し、頭部６ａに接近して頭部６ａを乾かす。ドライヤーを駆動させるためのモータ（不図示）は、送風ノズル８の中に備えられてもよいし、本体１ｄの中に備えられてもよい。モータが本体１ｄの中に備えられる場合には、送風ダクト９は本体１ｄから送風ノズル８への送風を中継する機能を併せ持つ。送風ノズル８の外形状は、作業者が持ちやすい形状、例えば四角錐台形状や円錐台形状となっている。錐台形状の送風ノズル８の底面に相当する面は、頭部６ａに接近する接近面であり、接近面と反対側の面には送風ダクト９が接続される。なお、送風ノズル８は、送風と共に、頭部６ａに対して、遠赤外線やイオンを照射してもよい。
【００６１】
送風ダクト９は、可撓性を有する管であり、その一端部が送風ノズル８に接続され、その他端部が本体１ｄに接続される。なお、送風ダクト９と送風ノズル８との接続箇所にボールジョイントを介装し、送風ノズル８が送風ダクト９の一端部に対して回動する構成としてもよい。本変形例の送風ダクト９は、作業者の操作によって自在に変形する。送風ダクト９が変形することにより、送風ノズル８を頭部６ａの任意の位置に接近させることができ、頭部６ａの乾燥を効率的に実施できる。
【００６２】
このように、洗髪機１００ｄは、送風ノズル８と送風ダクト９とを更に備える。そして、送風ノズル８は、送風によって頭部６ａを乾燥させる。また、送風ダクト９は、本体１ｄと送風ノズル８とを接続すると共に、送風ノズル８が頭部６ａの任意の位置に接近できるように変形する。
【００６３】
したがって、第４変形例における洗髪機１００ｄによれば、上述した実施形態の一例における洗髪機１００によって奏することができる効果の他に、例えば以下の効果を奏することができる。すなわち、頭部６ａの洗浄から乾燥までを１台の洗髪機１００ｄで実施できる。また、人６に対する頭部６ａの洗浄と、この人６とは別の人に対する頭部６ａの乾燥とを同時に実施できる。
【００６４】
図９は、図８に示した洗髪機１００ｄの平面図である。図９に示す例において、本体１ｄは、外側ケーシング１０１と内側ケーシング１０２とによる二重構造のケーシングを有する。図３等に示した制御部１１や電源部１２，バルブ１３等の機能構成は、内側ケーシング１０２の内部に備えられる。内側ケーシング１０２は、円筒形状であって、ダクト３及び送風ダクト９がそれぞれ接続される天井面（図９によって示す円形状の面）と、天井面の対面である底面（不図示）とを除いて、外側ケーシング１０１によって囲まれている。内側ケーシング１０２は、外側ケーシング１０１の内側において図９の符号Ｂ１で示す両矢印の方向に回転可能であってよい。なお、図１等に示した給水パイプ４及び電源ケーブル５は、円筒形状の内側ケーシング１０２の底面の中心付近から外部に伸びる。これにより、給水パイプ４及び電源ケーブル５が絡まることを防げる。
【００６５】
このように、本体１ｄは、外側ケーシング１０１と内側ケーシング１０２とによる二重構造のケーシングを有する。そして、内側ケーシング１０２は、ダクト３及び送風ダクト９にそれぞれ接続され、外側ケーシング１０１の内側において回転される。
【００６６】
第４変形例における洗髪機１００ｄによれば、上述した実施形態の一例における洗髪機１００によって奏することができる効果の他に、例えば以下の効果を奏することができる。すなわち、本体１ｄを動かすことなく、ノズル２が取り付けられたダクト３と送風ノズル８が取り付けられた送風ダクト９とを回転させて、それぞれの位置を変えることができる。これにより、頭部６ａの洗浄後、人６に移動してもらうことなく、引き続き頭部６ａの乾燥を実施できるため、洗髪から乾燥までの一連の流れを効率よくスムースに実施できる。
【００６７】
〔Ｆ〕その他
開示の技術は上述した実施形態に限定されるものではなく、本実施形態の各構成及び各処理は、必要に応じて取捨選択することができ、あるいは適宜組み合わせてもよい。
【００６８】
例えば、第１変形例と第３変形例と第４変形例とが組み合わされる場合には、以下の各モードが自動的に切り替えられて、順番に実行されてよい。
【００６９】
（１）液体噴出→（２）シャンプー噴出→（３）マッサージ→（４）液体噴出・マッサージ→（５）リンス噴出→（６）液体噴出・マッサージ→（７）送風
【００７０】
（１）液体噴出において、人の頭部に付着した汚れが洗われる。（２）シャンプー噴出において、頭部にシャンプーが塗布される。（３）マッサージにおいて、マッサージをしながらシャンプーを使った頭髪及び頭皮の洗浄が行なわれる。（４）液体噴出・マッサージにおいて、マッサージをしながらシャンプーのすすぎが行なわれる。（５）リンス噴出において、頭部にリンスが塗布される。（６）液体噴出・マッサージにおいて、マッサージをしながらリンスのすすぎが行なわれる。（７）送風において、内側ケーシング１０２が回転することにより送風ノズルが頭部に接近して頭部の乾燥が行なわれる。
【００７１】
また、第４変形例において説明した送風ノズル８としての機能は、実施形態の一例におけるノズル２，第１変形例におけるノズル２ａ又は第２変形例におけるノズル２ｂに組み込まれてもよい。この場合には、例えば、ノズル２，２ａ，２ｂの接触面２Ｆの外周に沿うようにリング状のスリットが形成されて、スリットから送風が行なわれてよい。
【符号の説明】
【００７２】
１００，１００ａ，１００ｂ，１００ｃ，１００ｄ：洗髪機
１，１ｂ，１ｃ，１ｄ：本体
１０１              ：外側ケーシング
１０２              ：内側ケーシング
１１                ：制御部
１２                ：電源部
１３                ：バルブ
１４                ：内部給水パイプ
１５                ：信号線
１６                ：薬液供給装置
１６１              ：第１薬液供給装置
１６２              ：第２薬液供給装置
１７                ：ポンプ
１７ｃ              ：ポンプ
１８                ：薬液パイプ
１８１，１８２      ：パイプ
２，２ａ，２ｂ      ：ノズル
２１                ：液体噴出口
２２                ：マッサージ部
２２１              ：突起部
２３                ：センサ
２４                ：薬液噴出口
３                  ：ダクト
３ａ                ：アーム式ダクト
４                  ：給水パイプ
５                  ：電源ケーブル
６                  ：人
６ａ                ：頭部
７                  ：シャンプーボウル
８                  ：送風ノズル
９                  ：送風ダクト
【図１】
2020156859.tif 000003
【図２】
2020156859.tif 000004
【図３】
2020156859.tif 000005
【図４】
2020156859.tif 000006
【図５】
2020156859.tif 000007
【図６】
2020156859.tif 000008
【図７】
2020156859.tif 000009
【図８】
2020156859.tif 000010
【図９】
2020156859.tif 000011